(57)【特許請求の範囲】
【請求項１】
タンパク−タンパク相互作用のインターフェースを阻害する阻害剤が該タンパクに結合する位置を予測する予測方法であって、以下の工程を含むことを特徴とする予測方法。
（１）既知のタンパク−タンパク相互作用をするタンパク、及び、該相互作用のインターフェースを阻害する既知の阻害剤の構造情報を得る工程
（２）工程（１）で得られた構造情報から、該既知のタンパク−タンパク相互作用のインターフェースを阻害する際に関与するタンパクの残基を選定する工程
（３）工程（２）で選定した残基の中から任意の２つの残基を抽出し、該２つの残基間の二面角の絶対値（|ＤＡ|）、及びタンパク−タンパク相互作用しているときとタンパク−タンパク相互作用していないときの溶媒露出表面積の変化の総和（ΣΔＳＡＳＡ）の回帰直線を作成する工程
（４）予測対象の標的タンパク、そのパートナータンパク、及び、モデル阻害剤の構造情報を得る工程
（５）工程（４）で得られた構造情報から、予測対象の標的タンパクとそのパートナータンパクとのタンパク−タンパク相互作用を、該モデル阻害剤が阻害する際に関与するタンパクの残基を選定する工程
（６）工程（５）で選定した残基の中から任意の２つの残基を抽出し、該２つの残基間の二面角の絶対値（|ＤＡ|）、及びタンパク−タンパク相互作用しているときとタンパク−タンパク相互作用していないときの溶媒露出表面積の変化の総和（ΣΔＳＡＳＡ）、及び、工程（３）で得られた回帰直線を基に、該任意の２つの残基が、該モデル阻害剤が該予測対象のタンパクに結合する位置の候補となり得るか否かを判定する工程
（７）工程（６）で候補となり得ると判定された２つの残基を基に、該モデル阻害剤が該予測対象のタンパクに結合する位置を予測する工程
【請求項２】
工程（３）において任意の２つの残基を抽出する際に、「２つの残基の『アミノ酸の中心炭素原子であるＣα原子』間の距離」、及び／又は、「Ｃα原子又は『Ｃα原子に結合する側鎖中の炭素原子であるＣβ原子』から最も遠い位置にある水素以外の原子をＣω原子とした場合の２つの残基のＣω原子間の距離」が各阻害剤において最も短くなる２つの残基を抽出する請求項１に記載の予測方法。
【請求項３】
工程（６）において任意の２つの残基を抽出する際に、「２つの残基の『アミノ酸の中心炭素原子であるＣα原子』間の距離」、及び／又は、「Ｃα原子又は『Ｃα原子に結合する側鎖中の炭素原子であるＣβ原子』から最も遠い位置にある水素以外の原子をＣω原子とした場合の２つの残基のＣω原子間の距離」が各阻害剤において最も短くなる２つの残基を抽出する請求項１又は請求項２に記載の予測方法。
【請求項４】
上記回帰直線が下記式（１）又は式（２）である請求項１ないし請求項３の何れかの請求項に記載の予測方法。
ΣΔＳＡＳＡ［Å２］＝−０．５７|ＤＡ|＋２１１        （１）
ΣΔＳＡＳＡ［Å２］＝−０．５３|ＤＡ|＋２０７        （２）
［式（１）及び式（２）中、|ＤＡ|は、２つの残基間の二面角の絶対値を示し、ΣΔＳＡＳＡは、タンパク−タンパク相互作用しているときとタンパク−タンパク相互作用していないときの溶媒露出表面積の変化の総和［Å２］を示す。］
【請求項５】
上記回帰直線が、上記２つの残基が何れも非極性のときは、下記式（３）であり、上記２つの残基の一方が極性で他方が非極性のときは、下記式（４）である請求項１ないし請求項３の何れかの請求項に記載の予測方法。
ΣΔＳＡＳＡ［Å２］＝−０．５５|ＤＡ|＋２１２        （３）
ΣΔＳＡＳＡ［Å２］＝−０．４９|ＤＡ|＋１９４        （４）
［式（３）及び式（４）中、|ＤＡ|は、２つの残基間の二面角の絶対値を示し、ΣΔＳＡＳＡは、２つの残基の溶媒露出表面積の変化の総和［Å２］を示す。］
【請求項６】
請求項１ないし請求項５の何れかの請求項に記載の予測方法を用いることを特徴とするタンパク−タンパク相互作用のインターフェースを阻害する阻害剤の候補となり得る化合物の設計方法。
【発明の詳細な説明】
【技術分野】
【０００１】
本発明は、予測方法及び該予測方法を用いるタンパク−タンパク相互作用のインターフェースを阻害する阻害剤の候補となり得る化合物の設計方法に関する。
【背景技術】
【０００２】
一般にタンパク−タンパク相互作用の阻害剤は、タンパク間（インターフェース）に結合しタンパク間の相互作用を阻害するタイプと、タンパク構造体の表面をアロステリックに結合しタンパク質を変化させ阻害するタイプ、タンパク複合体を安定化させるもの、（例えば、タキソール等のチューブリン阻害剤）、及び、２つのタンパクの境界部位外側に結合するものと、分けることができる。
【０００３】
タンパク−タンパク相互作用（プロテイン−プロテイン相互作用（ＰＰＩｓ）（以下、「ＰＰＩｓ」と略記する場合がある）の阻害剤は、現在１０化合物以上が臨床試験に挙がっており、次世代の創薬としてその重要性が証明されつつある。このように創薬の標的としての魅力が高いＰＰＩｓに関して、合理的な阻害剤のデザイン手法が求められ、実用的な研究が行われるようになっている（非特許文献１〜７）。
多くの研究は、ＰＰＩｓ阻害剤の物理化学的数値に関する研究や（非特許文献８〜１２）、３次元のトポロジカルな特徴に関する研究（非特許文献１３・１４）等、阻害剤の性質に着目する研究である。
しかし、これらの情報では、ある化合物群から、ＰＰＩｓ阻害剤になり得る小分子化合物の選出には有効であるが、阻害剤がＰＰＩｓインターフェースのどの位置に結合するかを予測し、薬に繋がる小分子が阻害活性を示すサイト（タンパク表面上の位置）を同定することは難しい。
【０００４】
一方、構造生物学の見地から、ＰＰＩｓ阻害剤は、天然のＰＰＩｓにおいて相手タンパク質を認識するために利用される重要残基にしばしば重なることが知られていた。
タンパク質間のインターフェースとして様々なタンパク質の２次構造が考えられる。しかし、ペプチドミミックな構造のライブラリーデザインへの利用が試みられているインターフェースのタンパク質の２次構造は、α−へリックスに集中している（非特許文献１５〜１７）。この理由は、α−ヘリックスは筒状のため、理想的なα−ヘリックスを上からみるとα−へリックス側鎖の各残基の伸びる方向が非常に規則的であり、デザインが容易であるためである。
【０００５】
しかし、これらの知見を元にしたようなタンパク質の２次構造に基づくライブラリーデザインは、「理想的な２次構造の規則的な側鎖の伸びる方向を利用し相互作用するタンパク方向に向かう残基をパターン化し、結合に有効に働く残基を仮定する」という仮説の上で化合物デザインされているため、重要なホットスポットの残基が仮説通り側鎖の配向をもつα−へリックスがインターフェースにある標的の一部（全てのタンパクが、タンパク側に向いた全ての残基と相互作用するわけではない）のみで成功している。
【０００６】
もう１つ重要な知見として、インターフェースにおいて、小さいポケットに重要な残基が侵入する角度が３次元的に多様であることが発表されている（非特許文献１８・１９）。
突き刺さる残基をベクトルと考えた場合（ベクトルの根元をＣαとし先端をＣωとする）、ポケットが様々な方向を向いているため、それに突き刺さる残基（ベクトル）は３次元的に多用性があることになる。２つの残基（ベクトル）の３次元空間での配置は、残基間の距離と二面角で一義的に決めることができる。
したがって、３次元的な向きは、ＰＰＩｓ阻害剤の開発やライブラリーデザインにおいて、阻害剤のファーマコフォアの空間的な位置関係だけでなく、アミノ酸残基の側鎖が小さいポケットに侵入する角度もＰＰＩｓを詳細に理解するためには重要であると考えられる。
【０００７】
近年は、タンパク質の機能に対する遺伝学的およびコンピューテーショナルなアプローチを用い、タンパク質とタンパク質との間の相互作用（ＰＰＩｓ）において、ホットスポットが重要な働きをしていることが明らかにされ、タンパク質が相手のタンパク質（パートナータンパク）を認識する際、ホットスポットで側鎖若しくは残基がパートナータンパクの小さいポケットに正確に突き刺さることの重要性が示唆されている（非特許文献８、２０〜２３）。
BoganとThornは、ホットスポットでは小さいポケットが疎水性残基に囲まれているため、水分子をポケット内に入れないことにより、タンパク質間相互作用で重要な働きをし、ポケットを認識するアミノ酸残基が水を取り除くためのエネルギーをロスすることなくポケットを認識し結合することを指摘している（非特許文献２４、２５）。
また、Rajamani等は、タンパク質間の結合前後で、側鎖が結合するに際して、solvent-accessible surface areas（溶媒露出表面積）が変化（ΔＳＡＳＡ）することに着目し、結合に際して最も大きいＳＡＳＡを埋めるホットスポット上の残基を明らかにした。それらを「anchor residues」と定義し、タンパク−タンパクの認識に必要な高い選択性を生み出すために必要と結論づけている（非特許文献２６）。
【０００８】
本発明者は、タンパク質が相手のタンパク質（パートナータンパク）を認識するメカニズムが、阻害剤がタンパクを認識するメカニズムと似ているのではないかと仮定し、本研究に取り組んだ。
【先行技術文献】
【非特許文献】
【０００９】
【非特許文献１】Zinzalla, G. et al., Future Med. Chem. 2009, 1, 63-93.
【非特許文献２】Aeluri, M. et al., Selected Case Studies. Chem. Rev. 2014, 114, 4640-4694.
【非特許文献３】Meireles, L. M. C. et al., Curr. Top. Med. Chem. 2011, 11, 248-257.
【非特許文献４】Whitty, A. et al., Nat. Chem. Biol. 2006, 2, 113-118.
【非特許文献５】Cheng, Y. et al., Trends in Biotechnology. 2006, 24, 435-442.
【非特許文献６】Nero, T. L. et al., Nat. Rev. Cancer. 2014, 14, 248-262.
【非特許文献７】Arkin, M. R. et al., Chem. Biol. 2014, 21, 1102-1114.
【非特許文献８】Wells, J. A. et al., Nature (London, U.K.), 2007, 450, 1001-1009.
【非特許文献９】Bougeas, R. et al., PLoS ONE, 2010, 5, e9598.
【非特許文献１０】Morell, X. et al., Curr. Opin. Chem. Biol. 2011, 15, 475-481.
【非特許文献１１】Higeruelo, A. P. et al., Chem. Biol. Drug Des. 2009, 74, 457-467.
【非特許文献１２】Labbe, C. M. et al., Drug Discovery Today, 2013, 18, 958-968.
【非特許文献１３】Sperandio, O. et al., Drug Discovery Today, 2010, 15, 220-229.
【非特許文献１４】Kuenemann. B. O. et al., J. Chem. Inf. Model. 2014, 54, 3067-3079.
【非特許文献１５】Davis, J. M. et al., Chem. Rev. Soc. 2007, 36, 326-334.
【非特許文献１６】Che, Y. et al., J. Comput. Aided Mol. Des. 2006, 20, 109-130.
【非特許文献１７】Fry, D.C. et al., ChemMedChem 2013, 8, 726-732.
【非特許文献１８】Fry, D.C. et al., Biopolymers, 2006, 84, 535-552.
【非特許文献１９】Fry, D.C. et al., Current Protein and Peptide Science, 2008, 9, 240-247.
【非特許文献２０】Moreira, I. S. et al., PROTEINS, 2007, 68, 803-812.
【非特許文献２１】Keskin, O. et al., J. Mol. Biol. 2005, 345, 1281-1294.
【非特許文献２２】Li,X. et al., J. Mol. Biol. 2004, 344, 781-795.
【非特許文献２３】Fuller, H. C. et al., Drug Discovery Today, 2009, 14, 155-161.
【非特許文献２４】Borgan, A. A. et al., J. Mol. Biol. 1998, 280, 1-9.
【非特許文献２５】Ma, B. et al., Proc. Natl. Acad. Sci. U.S.A. 2003. 100, 5772-5777.
【非特許文献２６】Rajamani, D. et al., Proc. Natl. Acad. Sci. U.S.A. 2004. 101, 11287-11292.
【発明の概要】
【発明が解決しようとする課題】
【００１０】
本発明は上記背景技術に鑑みてなされたものであり、その課題は、前記問題点を解決し、タンパク−タンパク相互作用のインターフェースを阻害する阻害剤の結合位置を予測する方法、及び阻害剤の設計方法を提供することである。
【課題を解決するための手段】
【００１１】
本発明者らは、上記の課題を解決すべく鋭意検討を重ねた結果、タンパク−タンパクのインターフェースを狙った阻害剤をデザインするための鍵となる２つの残基（残基ペア）を同定する方法の確立を試みた。
低分子阻害剤が重なる残基（ＳＩＲｓ：superimposed residues）と重なりのない残基（ｎｏｎ−ＳＩＲｓ：non-superimposed residues）の３次元配置に関係するパラメーターの違いや、結合能に関係するパラメーターの違いを比較分析し、阻害剤と重なる残基のペアのパラメーターを調べた結果、ＳＩＲｓ間で、特定のパラメーターに相関関係があることを見出した。
また、この相関関係は、様々な種類の標的タンパク質−パートナータンパク質複合体や該複合体の阻害剤でも見られることを見出して本発明を完成するに至った。
【００１２】
すなわち、本発明は、タンパク−タンパク相互作用のインターフェースを阻害する阻害剤が該タンパクに結合する位置を予測する予測方法であって、以下の工程を含むことを特徴とする予測方法である。
（１）既知のタンパク−タンパク相互作用をするタンパク、及び、該相互作用のインターフェースを阻害する既知の阻害剤の構造情報を得る工程
（２）工程（１）で得られた構造情報から、該既知のタンパク−タンパク相互作用のインターフェースを阻害する際に関与するタンパクの残基を選定する工程
（３）工程（２）で選定した残基の中から任意の２つの残基を抽出し、該２つの残基間の二面角の絶対値（|ＤＡ|）、及びタンパク−タンパク相互作用しているときとタンパク−タンパク相互作用していないときの溶媒露出表面積の変化の総和（ΣΔＳＡＳＡ）の回帰直線を作成する工程
（４）予測対象の標的タンパク、そのパートナータンパク、及び、モデル阻害剤の構造情報を得る工程
（５）工程（４）で得られた構造情報から、予測対象の標的タンパクとそのパートナータンパクとのタンパク−タンパク相互作用を、該モデル阻害剤が阻害する際に関与するタンパクの残基を選定する工程
（６）工程（５）で選定した残基の中から任意の２つの残基を抽出し、該２つの残基間の二面角の絶対値（|ＤＡ|）、及びタンパク−タンパク相互作用しているときとタンパク−タンパク相互作用していないときの溶媒露出表面積の変化の総和（ΣΔＳＡＳＡ）、及び、工程（３）で得られた回帰直線を基に、該任意の２つの残基が、該モデル阻害剤が該予測対象のタンパクに結合する位置の候補となり得るか否かを判定する工程
（７）工程（６）で候補となり得ると判定された２つの残基を基に、該モデル阻害剤が該予測対象のタンパクに結合する位置を予測する工程
【００１３】
また、本発明は、上記予測方法を用いることを特徴とするタンパク−タンパク相互作用のインターフェースを阻害する阻害剤の候補となり得る化合物の設計方法を提供するものである。
【発明の効果】
【００１４】
本発明によれば、前記問題点や上記課題を解決し、タンパク−タンパク相互作用のインターフェースを阻害する阻害剤が該タンパクに結合する位置を精度よくかつ効率的に予測することができる。
【００１５】
また、本発明によれば、タンパク−タンパク相互作用のインターフェースを標的とした阻害剤のデザイン等に重要な鍵となる残基ペアを合理的かつ戦略的に同定することができる。
【００１６】
従来、新しい阻害剤を設計する場合は、既知の阻害剤の結合位置の構造情報を基に、その既知の阻害剤の構造を変化させる設計手法しか存在しなかった。
しかし、本発明によれば、既知の阻害剤が結合する位置とは異なる位置に結合することによりタンパク−タンパク相互作用のインターフェースを阻害する阻害剤を設計することができる。
また、「モデル阻害剤」がタンパクに結合する位置を予測できるので、予測された「該タンパクにおける該位置」の情報を参考に、逆に「モデル阻害剤」とは異なる新しい阻害剤の構造の設計ができる。
【図面の簡単な説明】
【００１７】
【図１】阻害剤と重なっている残基を決める方法を表した模式図である。
【図２】１つの阻害剤に重なっている残基数を示すグラフである。
【図３】（ａ）二面角（ＤＡ）とΣΔＳＡＳＡとの相関を示すグラフである。（ｂ）ＤＡの絶対値（｜ＤＡ｜）とΣΔＳＡＳＡとの相関を示すグラフである。
【図４】｜ＤＡ｜とΣΔＳＡＳＡとの相関関係が、（ａ）基礎データの３９阻害剤以外の４つの阻害剤、（ｂ）基礎データの８標的タンパク質以外の標的タンパク質、についても成り立つかを検証したグラフである。
【発明を実施するための形態】
【００１８】
＜予測方法＞
本発明の予測方法は、タンパク−タンパク相互作用のインターフェースを阻害する阻害剤が該タンパクに結合する位置を予測する予測方法であって、以下の工程を含むことを特徴とする予測方法である。
（１）既知のタンパク−タンパク相互作用をするタンパク、及び、該相互作用のインターフェースを阻害する既知の阻害剤の構造情報を得る工程
（２）工程（１）で得られた構造情報から、該既知のタンパク−タンパク相互作用のインターフェースを阻害する際に関与するタンパクの残基を選定する工程
（３）工程（２）で選定した残基の中から任意の２つの残基を抽出し、該２つの残基間の二面角の絶対値（|ＤＡ|）、及びタンパク−タンパク相互作用しているときとタンパク−タンパク相互作用していないときの溶媒露出表面積の変化の総和（ΣΔＳＡＳＡ）の回帰直線を作成する工程
（４）予測対象の標的タンパク、そのパートナータンパク、及び、モデル阻害剤の構造情報を得る工程
（５）工程（４）で得られた構造情報から、予測対象の標的タンパクとそのパートナータンパクとのタンパク−タンパク相互作用を、該モデル阻害剤が阻害する際に関与するタンパクの残基を選定する工程
（６）工程（５）で選定した残基の中から任意の２つの残基を抽出し、該２つの残基間の二面角の絶対値（|ＤＡ|）、及びタンパク−タンパク相互作用しているときとタンパク−タンパク相互作用していないときの溶媒露出表面積の変化の総和（ΣΔＳＡＳＡ）、及び、工程（３）で得られた回帰直線を基に、該任意の２つの残基が、該モデル阻害剤が該予測対象のタンパクに結合する位置の候補となり得るか否かを判定する工程
（７）工程（６）で候補となり得ると判定された２つの残基を基に、該モデル阻害剤が該予測対象のタンパクに結合する位置を予測する工程
【００１９】
上記予測方法は、必要に応じて更にその他の工程を含んでいてもよい。以下、工程（１）〜（７）について順に説明する。
【００２０】
＜＜工程（１）＞＞
工程（１）は、既知のタンパク−タンパク相互作用をするタンパク、及び、該相互作用のインターフェースを阻害する既知の阻害剤の構造情報を得る工程である。
【００２１】
既知のタンパク−タンパク相互作用をするタンパク、及び、該相互作用のインターフェースを阻害する既知の阻害剤の構造情報は、例えば、Protein Data Bank（ＰＤＢ、http://www.rcsb.org/pdb）から得ることができる。
【００２２】
＜＜工程（２）＞＞
工程（２）は、上記工程（１）で得られた構造情報から、該既知のタンパク−タンパク相互作用のインターフェースを阻害する際に関与するタンパクの残基を選定する工程である。
【００２３】
残基の選定手段として、例えば、実施例１で用いられている手法を用いることができる。すなわち、ANCHOR database（http://structure.pitt.edu/anchor）を用いて、ΔＧが−１ｋｃａｌ／ｍｏＬ以下及びΔＳＡＳＡが１０Å２以上の基準を満たした残基を選び出すことが好ましい。
ΔＧとは、ギブスの自由エネルギーの変化を示す。計算方法等は、例えば、非特許文献２６や、Meireles, L. M. C. et al., Nucleic Acids Res. 2010, 38, W407-411に開示されている。
「ΔＳＡＳＡ」は、タンパク−タンパク相互作用しているときと相互作用していないときの残基のＳＡＳＡ（solvent-accessible surface area；溶媒露出表面積）の変化を示す。計算方法等は、非特許文献２６に開示されている方法に従う。
【００２４】
また、残基の選定手段として、ホットスポット上の残基から、上記基準を満たした残基を選び出すことが、本発明の予測方法の精度を上げる点等より好ましい。ホットスポットとは、タンパク−タンパク相互作用面に存在し、相互作用に関わる領域を指す。
【００２５】
次に、阻害剤と重なり合う残基を選び出し、該残基を「インターフェースを阻害する際に関与するタンパクの残基」とする。
本明細書において、「阻害剤と重なり合う残基」とは、「残基中に存在する原子のうち、何れかの原子の中心が、阻害剤をvan der Waals半径で球を描いたときに、該球と重なっている残基」を指す（図１ｂ及びｃ）。
【００２６】
＜＜工程（３）＞＞
工程（３）は、上記工程（２）で選定した残基の中から任意の２つの残基を抽出し、該２つの残基間の二面角の絶対値（|ＤＡ|）、及びタンパク−タンパク相互作用しているときとタンパク−タンパク相互作用していないときの溶媒露出表面積の変化の総和（ΣΔＳＡＳＡ）の回帰直線を作成する工程である。
【００２７】
任意の２つの残基を抽出する手段として、例えば、「２つの残基のＣα原子間の距離」、及び／又は、「Ｃα原子又はＣβ原子から最も遠い位置にある水素以外の原子をＣω原子とした場合の２つの残基のＣω原子間の距離」が各阻害剤において最も短くなる２つの残基を抽出する方法を用いることができる。該手段を用いることにより、好適な回帰直線が得られ、より分子量が小さな阻害剤を設計することができる。
Ｃαは、アミノ酸の中心炭素原子である。Ｃωは、Ｃα又はＣβ（Ｃαに結合する、側鎖中の炭素原子）から最も遠い位置にある水素以外の原子である。
【００２８】
二面角とは、２つの平面がなす角度である。本明細書において、「２つの残基間の二面角」とは、「Ｃω−Ｃα−Ｃα−Ｃω」の値と定義する。例えば、PyMOLソフトを利用して二面角を計算することができる。
「回帰直線」は、最小二乗法を用いて常法により求める。
【００２９】
工程（１）〜（３）を行うことによって、以下の式（１）、式（２）の回帰直線が得られた。
ΣΔＳＡＳＡ［Å２］＝−０．５７|ＤＡ|＋２１１        （１）
ΣΔＳＡＳＡ［Å２］＝−０．５３|ＤＡ|＋２０７        （２）
［式（１）及び式（２）中、|ＤＡ|は、２つの残基間の二面角の絶対値を示し、ΣΔＳＡＳＡは、タンパク−タンパク相互作用しているときとタンパク−タンパク相互作用していないときの溶媒露出表面積の変化の総和［Å２］を示す。］
【００３０】
また、前記２つの残基が何れも非極性のときは、以下の式（３）が得られ、前記２つの残基の一方が極性で他方が非極性のときは、以下の式（４）が得られた。
ΣΔＳＡＳＡ［Å２］＝−０．５５|ＤＡ|＋２１２        （３）
ΣΔＳＡＳＡ［Å２］＝−０．４９|ＤＡ|＋１９４        （４）
［式（３）及び式（４）中、|ＤＡ|は、２つの残基間の二面角の絶対値を示し、ΣΔＳＡＳＡは、２つの残基の溶媒露出表面積の変化の総和［Å２］を示す。］
【００３１】
＜＜工程（４）＞＞
工程（４）は、予測対象の標的タンパク及びそのパートナータンパク、及び、モデル阻害剤の構造情報を得る工程である。
ここで「予測対象のタンパク」とは、モデル阻害剤が結合する位置を予測する対象となる該タンパクを言う。
また、ここで「モデル阻害剤」とは、結合する「タンパク上の位置の予測」に用いられる阻害剤を言う。
【００３２】
予測対象の標的タンパク及びパートナータンパクの構造情報は、上記工程（１）と同様に、例えば、Protein Data Bankから得ることができる。予測対象の標的タンパク及びパートナータンパクのほかに、既に知られている該予測対象のタンパク−タンパク相互作用に対する阻害剤があれば、該阻害剤の構造情報を得ることが、目的の阻害剤がタンパクに結合する位置を高い精度で予測することができる点で好ましい。
【００３３】
＜＜工程（５）＞＞
工程（５）は、上記工程（４）で得られた構造情報から、予測対象の標的タンパクとそのパートナータンパクとのタンパク−タンパク相互作用を、該モデル阻害剤が阻害する際に関与するタンパクの残基を選定する工程である。
残基の選定手段等は、上記工程（２）と同様の手段を用いることができる。
【００３４】
＜＜工程（６）＞＞
工程（６）は、上記工程（５）で選定した残基の中から任意の２つの残基を抽出し、「該２つの残基間の二面角の絶対値（|ＤＡ|）」、及び、「タンパク−タンパク相互作用しているときとタンパク−タンパク相互作用していないときの溶媒露出表面積の変化の総和（ΣΔＳＡＳＡ）」、及び、「上記工程（３）で得られた回帰直線」を基に、該任意の２つの残基が、該モデル阻害剤が該予測対象のタンパクに結合する位置の候補となり得るか否かを判定する工程である。
【００３５】
任意の２つの残基を抽出する手段は、上記工程（３）と同様の手段を用いることができる。例えば、「２つの残基のＣα原子間の距離」、及び／又は、「Ｃα原子又はＣβ原子から最も遠い位置にある水素以外の原子をＣω原子とした場合の２つの残基のＣω原子間の距離」が各阻害剤において最も短くなる２つの残基を抽出する方法を用いることができる。該手段を用いることにより、より分子量が小さな阻害剤を設計することができる。
「２つの残基間の二面角の絶対値」も上記工程（３）と同様に、「Ｃω−Ｃα−Ｃα−Ｃω」の値と定義し、PyMOLソフトを利用して二面角を計算することができる。
【００３６】
任意の２つの残基が、上記「モデル阻害剤」が上記「予測対象のタンパク」に結合する位置の候補となり得るか否かを判定する手段として、以下の手段を用いることが好ましい。
すなわち、上記任意の２つの残基に関する|ＤＡ|をｘ軸、ΣΔＳＡＳＡをｙ軸として、上記工程（３）で得られた回帰直線を用い、ΣΔＳＡＳＡ［Å２］＝−ａ|ＤＡ|＋ｂ±１．９６Ｓ．Ｅ．（標準偏差）の範囲にプロットされた場合は（式中、ａ及びｂは、上記工程（３）で得られる値である）、該任意の２つの残基は、上記「モデル阻害剤」が上記「予測対象のタンパク」に結合する位置の候補となり得ると判定する。
【００３７】
回帰直線は工程（３）で得られるものが用いられ、具体的には、工程（１）〜（３）を行って将来更に好適なものが得られる可能性があり、本発明においては特に限定はないが、本実施例で得られた上記した回帰直線である式（１）、（２）、（３）又は（４）を基に、工程（５）で選定した２つの残基が、「モデル阻害剤が予測対象のタンパクに結合する位置の候補となり得るか否か」を判定することが好ましい。
【００３８】
すなわち、上記回帰直線が下記式（１）又は式（２）であることが好ましい。
ΣΔＳＡＳＡ［Å２］＝−０．５７|ＤＡ|＋２１１        （１）
ΣΔＳＡＳＡ［Å２］＝−０．５３|ＤＡ|＋２０７        （２）
また、上記回帰直線が、上記２つの残基が何れも非極性のときは、下記式（３）であり、上記２つの残基の一方が極性で他方が非極性のときは、下記式（４）であることが好ましい。
ΣΔＳＡＳＡ［Å２］＝−０．５５|ＤＡ|＋２１２        （３）
ΣΔＳＡＳＡ［Å２］＝０．４９|ＤＡ|＋１９４        （４）
【００３９】
＜＜工程（７）＞＞
工程（７）は、上記工程（６）で候補となり得ると判定された２つの残基を基に、上記「モデル阻害剤」が上記「予測対象のタンパク」に結合する位置を予測する工程である。
工程（１）〜（３）で得られた回帰直線を使用することにより工程（４）〜（６）で得られた「上記『モデル阻害剤』が上記『予測対象のタンパク』に結合する位置の予測」を基に、優れた「阻害剤」を好適に設計することができる。
【００４０】
＜化合物の設計方法＞
本発明の化合物の設計方法は、上記予測方法を用いることを特徴とするタンパク−タンパク相互作用のインターフェースを阻害する阻害剤の候補となり得る化合物の設計方法である。
【００４１】
例えば、上記予測方法により得られた、「モデル阻害剤」が「予測対象のタンパク」に結合する位置を基に、阻害剤の分子設計；タンパク−タンパク相互作用のインターフェースを標的としたフォーカスドライブラリーの構築；等により、目的の阻害剤と候補となり得る化合物を設計することができる。
【００４２】
従来の創薬では、既知の阻害剤（例えばＭｄｍ）の結合位置の構造情報を基に、ほぼ同じ位置で化合物の構造を変える戦略を取らざるを得なかった。このように、同じ位置を狙った化合物を研究せざるを得ない大きな理由の１つは、先行薬が結合していた位置とは別の位置で阻害剤が働く位置を同定できなかったことにある。
これに対し、本発明の方法には、新たな結合可能な位置情報と構造情報を提供できる可能性を有しているため、同じ標的タンパクでも異なる位置で阻害できる小分子をデザインすることができ、臨床試験において先行化合物との差別化をフェノタイプ（即ち薬効面）で違いを出すことができる。
【実施例】
【００４３】
＜実施例１＞
標的タンパク−パートナータンパク複合体等の選定
タンパク−タンパク相互作用に関与する２つのタンパクについて、阻害剤が結合するタンパクを「target protein；標的タンパク」とし、相互作用する相手方のタンパクを「partner protein；パートナータンパク」とする。
標的タンパク−パートナータンパク複合体の構造は、全てProtein Data Bank（ＰＤＢ）から入手した。
各タンパクの構造図は、PyMOL（http://www.pymol.org）を利用した。
ΔＳＡＳＡとΔＧ（ギブスの自由エネルギー変化）の予測値は、ANCHOR database（http://structure.pitt.edu/anchor）で入手可能である（Sharp, K. A. et al., Science (Washinton, DC, U.S.) 1991, 252, 106-109）。
各側鎖のΔＳＡＳＡとΔＧの予測値は、ANCHOR databaseにリスト化されているのでその値を利用した。
各アミノ酸残基の疎水性相互作用（ＨＥ：Hydrophobic effects）の見積り値はKarprusによって報告されているものを利用した（Karplus, et al., Protein Sci. 1997, 6, 1302-1307.）。
【００４４】
標的タンパク−パートナータンパク複合体を選ぶ際は、（ｉ）標的タンパク−パートナータンパク複合体と標的タンパク−阻害剤複合体両方のデータを入手可能なこと、（ii）少なくとも２つの阻害剤の構造がＰＤＢに開示されていること、及び（iii）インターフェースの２次構造の偏りを可能な限りなくすこと、を条件とした。
その結果、８つのタンパク−パートナータンパク複合体を選ぶことができた（表１）。
なお、これまでの研究でα−ヘリックスをインターフェースに持つ２つの標的から有望な化合物が見つかったことや、α−ヘリックス模倣化合物（ペプチドミミックな化合物）の合成が盛んであったこと等の理由で、公開されている阻害剤との複合体の情報は、パートナータンパクのインターフェースにα−ヘリックスが存在するものに偏っている。
【００４５】
また、標的タンパクの異なる位置を阻害する標的タンパク−阻害剤複合体を優先的に選出し、３９個の複合体を基礎データに用いることとした。更に、ANCHOR databaseでΔＧが−１ｋｃａｌ／ｍｏＬ以下及びΔＳＡＳＡが１０Å２以上の基準を満たした、８つのパートナータンパクのホットスポット上の６４残基を基礎データの対象とした（表１）。
【００４６】
【表１】
0006558828.tif 000002
【００４７】
＜実施例２＞
ＳＩＲｓ及びｎｏｎ−ＳＩＲｓの選別
実施例１で得られたホットスポット中の６４残基は小分子（阻害剤）に比べて広い範囲に分布していた。次に、阻害剤が重なる残基と重ならない残基に分類することにした。
タンパク質の各残基が阻害剤と重なったものは、「ＳＩＲｓ（superimposed residues）」と略す。それぞれの残基が阻害剤と重なるか否かを決定する手法をＭｃｌ／ｐ５３複合体（ＰＤＢｎｕｍｂｅｒ：１ＹＣＲ）を用いて説明する（図１）。
まず、PyMOLの“align”コマンドを用いて、阻害剤−標的タンパクと天然のパートナータンパク−標的タンパクに関して、各標的タンパクの構造をアライメントする（図１ａ）。パートナータンパクが結合している標的タンパクと阻害剤の結合している標的タンパクは、構造上も配列上も差が小さいため、PyMOLの“align”コマンドを使用した。実際、ＲＭＳＤ（平均二乗偏差）の平均値は、０．９１６Åであった。
【００４８】
次に、パートナータンパク（低分子阻害剤と重なる側）のアミノ酸残基をstickで描き、阻害剤をvan der Waals半径でsphereを描いた（図１ｂ及びｃ）。パートナータンパクの残基に関しては、残基の各原子の中心を基準とした。例えば、残基Ａのある原子中心を阻害剤のsphereが重なっているか否かで、その残基のその原子が重なっているか否かを判断した。
図１ｂは、ANCHOR databaseから残基を選んだ例を示し、図１ｃは、残基に小分子（阻害剤）が重なった例を示す。この場合、３つの残基（Ｆ１９、Ｗ２３及びＬ２６）と、３つの残基ペア（Ｆ１９−Ｗ２３、Ｆ１９−Ｌ２６及びＷ２３−Ｌ２６）が小分子に重なっていると定義された。
図１ｄは残基ペアの構造情報を得るための測定方法（Ｃα−Ｃα間及びＣω−Ｃω間の測定方法）を示している。
【００４９】
そして、残基のアミド結合の原子を除くα炭素と側鎖原子のうち、少なくとも２つの原子と重なっている場合、その残基は阻害剤と重なっていると判定し、「ＳＩＲ（superimposed residues）」と名付けた。ここで、「重なっている」とは、阻害剤をファンデルワールス半径で描いたsphereとstickで描いた残基の原子中心が重なっている場合をいう。
【００５０】
重なっている残基ペアも同様の方法で決定した。すなわち、ある残基と別の残基の両方の残基に阻害剤が重なっている場合、阻害剤がその残基ペアと重なっていると定義した。
本実施例では、いくつの阻害剤がある残基ペアを利用したかという頻度の情報ではなく、どの残基ペアの位置に阻害剤が結合し阻害したかという位置情報を知ることを目的としている。異なる阻害剤で同じ残基ペアを利用している場合であっても、その残基ペアは１回しかカウントしない。詳細は実施例４に記載するが、結果として阻害剤と重なる残基のペア（ＳＩＲＰｓ）を３９の阻害剤から３５個見出した。
ＳＩＲ同士の組み合わせを、「ＳＩＲＰｓ（superimposed residue pairs）」と定義し、それ以外の残基ペアを「ｎｏｎ−ＳＩＲＰｓ（non-superimposed residue pairs）」と定義する。
【００５１】
表１より、上記６４残基中２６残基が少なくとも１つの阻害剤と重なっており、ＳＩＲｓ（superimposed residues）であることがわかった。一方で、阻害剤と重ならなかったが、ΔＧとΔＳＡＳＡの条件を満たした残りの残基をｎｏｎ−ＳＩＲｓ（non-superimposed residues）と分類した。表１中、「ＸＩＡＰ−ＢＩＲ３／Ｓｍａｃ」複合体については、ｎｏｎ−ＳＩＲｓは存在していなかった。
【００５２】
【表２】
0006558828.tif 000003
【００５３】
表２は、上記６４残基中のＳＩＲｓ及びｎｏｎ−ＳＩＲｓの各パラメーターの比較をしている。６４残基がタンパクのどの２次構造の上に存在しているか調べたところ、３４残基はα−へリックス上にあることがわかった。
この結果、タンパク−タンパク相互作用の阻害剤のインターフェースの多くがα−ヘリックス上にあるというこれまでの報告と合致する（表２）。ＳＩＲｓとｎｏｎ−ＳＩＲｓ間において、ΔＧの差は０．１ｋｃａｌ／ｍｏＬ、ΔＨＥの差は０．５ｋｃａｌ／ｍｏＬであり、これらのパラメーターでは有意な差が得られなかった。
【００５４】
一方、ΔＳＡＳＡに関しては、ＳＩＲｓでは８５．４Å２であるのに対してｎｏｎ−ＳＩＲｓ は６１．９Å２となり、統計的に十分有意な差があることが認められた（ｐ＝０．００６２４、ｔ検定）。
【００５５】
＜実施例３＞
阻害剤が重なるパートナータンパクの残基数の計算
一般に、ヒット化合物を得るためには、１０μＭ程度のＫｉ、Ｋｄ等の値が求められる。この値を得るために、ΔＧ＝−ＲＴｌｎＫの式より、−６．９ｋｃａｌ／ｍｏＬのΔＧが必要である。しかしながら、本実施例で調査した６４残基のΔＧの平均値はＳＩＲｓとｎｏｎ−ＳＩＲｓの値で有意な差が見出せず、ともに−３．５ｋｃａｌ／ｍｏＬであった。この数値は、ハイスループットスクリーニングでヒット化合物を取るために十分なΔＧではない。
【００５６】
そこでまず、ある阻害剤が阻害活性を得るために、いくつのパートナータンパクのアミノ酸残基と重なっているかを調べた。結果を図２に示す。図２中、横軸は、１つの阻害剤に重なる残基数を示し、縦軸は頻度（frequency）を示す。
その結果、平均して、２以上の残基（平均２．７５残基）と重なっていることがわかった（図２）。図２で示されているように、１残基のみと重なる阻害剤が２つ存在していた。共にＭｃｌの阻害剤であり同じ論文（ＪＭＣ，2013，56，15-30）で開示されている構造である。両化合物とも、自然界のタンパク−タンパク相互作用では利用されていない、Ｌ６２残基の奥にある小さな隙間に化合物を突き刺す形で大きな阻害活性を得ている。よって、Ｌ６２残基のみしか重ならなくても阻害剤として働くことができたと推察される。
【００５７】
＜実施例４＞
ＳＩＲＰｓ及びｎｏｎ−ＳＩＲＰｓの選別
次に、同じ標的タンパクの同じ表面上の２つの残基の組み合わせについて、更に分析を進めることにした。８標的の合計の残基ペア数は、計算すると２４３となった（計算式：Σ[１２Ｃｓ(標的タンパク１）＋７Ｃ２（標的タンパク２）＋・・・＋７Ｃ２（標的タンパク８）]＝２４３）。２４３は、（ＳＩＲＰｓの数）と（ｎｏｎ−ＳＩＲＰｓの数）の合計である。
【００５８】
【表３】
0006558828.tif 000004
【００５９】
表３は、上記２４３残基ペア中のＳＩＲＰｓ及びｎｏｎ−ＳＩＲＰｓの各パラメーターの比較をしている。２４３残基ペア中、３５のＳＩＲＰｓが見つかった。ＳＩＲｓ数から理論上３７個が見つかるはずであるが、実際には３５個であった。これは、異なる位置に２つの阻害剤がついた場合、その両端のＳＩＲｓの組み合わせを満たす１つの阻害剤が見つからなかったことに起因する。もし２つの異なる位置の両端のＳＩＲｓからなる残基ペアと重なる阻害剤を作るには、小分子では抑えきれない（大きすぎて形を制御できない）ほど長いものになることが想像されるため、そのような阻害剤が存在する可能性が低いと考えるのが妥当である。
【００６０】
一方で、ｎｏｎ−ＳＩＲＰｓの数は２０８であった（表３）。ＳＩＲＰｓとｎｏｎ−ＳＩＲＰｓの各パラメーターを比較した結果、ＳＩＲＰｓの２つの残基間の距離が共にｎｏｎ−ＳＩＲＰｓより、統計的に十分有意に短いことがわかった（（４．７Å（Ｃω−Ｃω）、ｐ＝０．００００４０、ｔ検定；４．４Å（Ｃα−Ｃα）、ｐ＝０．０００１５、ｔ検定）（表３）。ΣΔＳＡＳＡに関しては、表２の結果と同様に、ＳＩＲＰｓでは１６８Å２であり、ｎｏｎ−ＳＩＲＰｓでは １３７Å２と統計的に十分有意に大きい値を示した（ｐ＝０．０００５１、ｔ検定）。ΣΔＧ、ΣＨＥ及びＤＡの値に関しては、ｎｏｎ−ＳＩＲＰｓとＳＩＲＰｓの間で、平均値にほとんど差は見られなかった（表３）。
【００６１】
＜実施例５＞
各パラメーターの相関関係
次に、インターフェース上の小さいポケット（凹）へ鍵となる残基（凸）が侵入する角度と、ＰＰＩｓのファーマコフォア間の三次元空間的配置を理解するため、２つの残基の関係性に着目した。そこで、残基間の二面角と距離は、化合物の空間的配置を認識する上で重要であることを考慮に入れて、次に構造に関係するパラメーター（例えば、距離や二面角）と結合能に関係するパラメーター（例えば疎水性相互作用やΔＳＡＳＡ、ΔＧ）の間に関係性が存在するか検討をした。
【００６２】
各残基ペアの距離と二面角を求めるためにPyMOLソフトを利用した。距離に関しては、１つの残基ペアについて２つの距離を測定した。１つはアミノ酸残基のＣα間の距離（Ｃα−Ｃα：１つの残基のＣαともう１つの残基のＣαの間の距離）、もう１つは、基本的にＣα又はＣβから最も遠い位置にある水素以外の原子をＣωと名付け、そのＣω間の距離を測定した（Ｃω−Ｃω）。Ｃωは、芳香族アミノ酸ではＣβから最も遠い位置の原子とし、非芳香族アミノ酸では、Ｃαから最も遠い位置の原子とした（芳香族アミノ酸では、Ｃβから先は芳香族で平面となり、アミノ酸によって原子を特定できるため、ＣαではなくＣβから最も遠い原子とした）。
【００６３】
一方、Ｃαから最も遠いとすると芳香族上の原子が特定できず、毎回全てを測る必要が有り煩雑となることから芳香族アミノ酸か否かでＣωを定義した。また、末端が分岐しているアミノ酸（Val、Leu、Glu、Gln、Asp、Asn、Arg）については、分岐する原子（末端の１つ手前）をＣωとした。プロリンに関しては、Ｃ４炭素をＣωとした。２つの残基間の二面角はＣω−Ｃα−Ｃα−Ｃωの値と定義した。
一方、結合能に関係するパラメーターに関しては、疎水性結合（ＨＥ）、ΔＧ、ΔＳＡＳＡと共に、２つのアミノ酸残基の値を足した値をΣＨＥ、ΣΔＧ、ΣΔＳＡＳＡとして計算した。
【００６４】
その結果、二面角（ｘ軸）とΣΔＳＡＳＡ（ｙ軸）にＳＩＲＰｓでのみ相関がみられた（図３ａ）。一方、ｎｏｎ−ＳＩＲＰｓでは相関はみられなかった。
ＳＩＲＰｓでの相関は、図３ａに示す通り、二面角（ＤＡ）が正の場合は負の相関が、ＤＡが負の場合は正の相関が得られた（ＤＡ＞０；ｒ＝−０．６１、ｐ＜０．０３５、ｙ＝−０．４６４ｘ＋２０２、ｎ＝１２）（ＤＡ＜０；ｒ＝０．７０、ｐ＜０．０００２１、ｙ＝−０．６１２ｘ＋２１５、ｎ＝２３）。ＤＡが正の場合でも負の場合でも、ＤＡがゼロ付近で最大値を取り、その値はほぼ等しかった。また、傾きは正負で逆であるが、その絶対値はほぼ似た値であった。
【００６５】
上記の結果を考慮し、ＤＡの絶対値(|ＤＡ|)をｘ軸、ΣΔＳＡＳＡをｙ軸にしてグラフを作成した（図３ｂ）。その結果、ＤＡの絶対値(|ＤＡ|)とΣΔＳＡＳＡにおいて相関がみられた (ｒ＝−０．６８、ｐ＜０．００００１、ｙ＝−０．５７ｘ＋２１１、ｎ＝３５）。この相関は、ΣΔＳＡＳＡ（結合能に関係するパラメーター）と|ＤＡ|（３次元空間の位置又は３次元的な形に関係するパラメーター）からなる相関である点で意味深い。
すなわち、ＳＩＲＰｓとｎｏｎ−ＳＩＲＰｓを区別するために利用できるだけでなく、これまで報告されてきた技術（手法）のいずれの特徴とも異なり、構造情報と結合能情報を関係づける式が得られた点で実用的な利用可能性を高めることを示唆している。
【００６６】
＜実施例６＞
他の阻害剤や標的タンパクへの応用
|ＤＡ|とΣΔＳＡＳＡの関係性がＳＩＲＰｓとｎｏｎ−ＳＩＲＰｓとの識別に利用できるという仮説を実証するため、|ＤＡ|とΣΔＳＡＳＡとの相関が他の阻害剤（上記３９の阻害剤以外の阻害剤）に対して当てはまるか否かを検討した。
まず、上記８つの標的タンパクの中の３つの標的タンパクに対する４つの阻害剤で検討を行った。検討した阻害剤は、いずれも上記３９の阻害剤とは異なる部位に結合するものを選んだ。
【００６７】
４つの阻害剤のうち、Ｂｃｌ−ｘＬの阻害剤（ＰＤＢｎｕｍｂｅｒ: ４Ｃ５２）（Brady, R.M. et al., J. Med. Chem. 2014, 57, 1323-1343）からは、３つの新しいＳＩＲＰｓ（Ｉ９０−Ａ９１、Ｉ９０−Ｌ９４、Ｉ９０−Ｉ９７）が見つかった。２つのＭｃｌ阻害剤（ＰＤＢｎｕｍｂｅｒ:４ＯＱ５及び４ＷＧＩ）（Petro. A. M. et al., Bioorg. Med. Chem. Lett. 2014, 24, 1484-1488., Fang, C. et al., ACS Med Chem Lett, 2014, 5, 1308-1312）からは、２つの新しいＳＩＲＰｓ（Ｉ５８−Ｌ６２及びＡ５９−Ｌ６２）が見つかった。integrase阻害剤（ＰＤＢｎｕｍｂｅｒ: ３ＺＴ１）（T.S.Peat, et al., PLos One, 2012, 7, e40147.）からは、２つの新しいＳＩＲＰｓ（Ｋ３６４−Ｉ３６５及びＫ３６４−Ｄ３６６）が見つかった。
【００６８】
上記７つの新しいＳＩＲＰｓ全ては、the regression equation（回帰直線）±Ｓ．Ｅ．（標準偏差）の範囲にプロットされた（図４ａ、ｎ＝３５、ｙ＝−０．５７ｘ＋２１１、Ｓ．Ｅ．＝３２．４）。この結果より、基礎データとして用いた３９の阻害剤が結合しない位置に結合する阻害剤の場合でも、実施例４で導いた相関式に当てはめることができることが示唆された。
上記見つかったＳＩＲＰｓは、もとはｎｏｎ−ＳＩＲＰｓとされていたものであり、新しい阻害剤が見つかることで、ｎｏｎ−ＳＩＲＰｓからＳＩＲＰｓにオセロの黒が白になるように変化した。つまり、残基ペア（residue pair）の総数はこの８つの標的タンパクを基礎データとして使っている限り、２４３に等しい。そして、この事実は、これまでｎｏｎ−ＳＩＲＰｓとされていた残基ペアの組み合わせが、相関式±Ｓ．Ｅ．と距離の条件を満たす時にＳＩＲＰｓに変わる可能性があることを示している。
【００６９】
次に上記８つの標的タンパク−パートナータンパク複合体とは異なる標的タンパク−パートナータンパク複合体であるＫｅａｐ１−Ｎｒｆ２（ＰＤＢｎｕｍｂｅｒ：１Ｘ２Ｒ）を、標的タンパクの一般性の評価に用いた（Jiang, Z.Y., et al., J. Med. Chem. 2014, 57, 2736-2745）。
Ｋｅａｐ１阻害剤（ＰＤＢｎｕｍｂｅｒ：４ＩＱＫ）からは、３つの新しいＳＩＲＰｓ（Ｅ７９−８０、Ｅ７９−Ｔ８２及びＴ８０−Ｅ８２）が見つかった。これら３つのＳＩＲＰｓを図３ｂで得られた回帰直線上にプロットした。
【００７０】
結果を図４ｂに示す。３つの新しいＳＩＲＰｓうち２つのＳＩＲＰｓはthe regression equation（回帰直線）±Ｓ．Ｅ．（標準偏差）の範囲内であった（図４ａ、ｎ＝３５、ｙ＝−０．５７ｘ＋２１１、Ｓ．Ｅ．＝３２．４）。
一方で、他の１つのＳＩＲＰｓはthe regression equation（回帰直線）±１．９６Ｓ．Ｅ．（標準偏差）の範囲内であった。
上記新しい３つのＳＩＲＰｓは、２４３の残基ペア以外の新しいスポットである。すなわち、上記８つの標的タンパクから得られた相関式が、８つの標的タンパクとは異なる新たな標的とその阻害剤でも通用したことを示された。この結果は、この相関が新規のＰＰＩｓ（protein-protein inhibitors）であるインターフェース阻害剤のデザインにも効果的に利用できる可能性を示している。
【００７１】
実施例６で新たに見つかった１０個のＳＩＲＰｓの２つの距離（Ｃα−Ｃα、Ｃω−Ｃω）は基礎データに用いた３５個のＳＩＲＰｓの平均値＋１．９６Ｓ．Ｄ．（全体の９５％以上が含まれる範囲）より小さい値であった（Ｃα−Ｃα：１５．４Å、Ｃω−Ｃω：１７．０Å）。
【００７２】
実施例６で新たに見つかった１０個のＳＩＲＰｓと基礎データで用いた３５個のＳＩＲＰｓとの合計４５個のＳＩＲＰｓの相関式は、ｙ＝−０．５３ｘ＋２０７となり（ｎ＝４５、ｒ＝−０．６３、Ｓ．Ｅ．＝３１．９、ｐ＜０．００００１）、図３ｂの基礎データから得られた相関式とほぼ同一であった。この結果から、相関式は８つの標的タンパクへの新しい阻害剤の他に、全く別の標的タンパクにも適用可能であることが示された。
【００７３】
＜実施例７＞
最も短いＳＩＲＰｓの選定
上記実施例で用いた４４（３９（実施例１〜５）＋４（実施例６）＋１（実施例７））個の阻害剤について、「Ｃα−Ｃα」間の距離と「Ｃω−Ｃω」間の距離の値を基にして、これらの２つの値が最も短くなるＳＩＲＰｓを「最も短いＳＩＲＰｓ」（Ｔｈｅ  ｓｈｏｒｔｅｓｔ  ＳＩＲＰｓ）を選び出した。
この操作は、ＰＰＩｓのインターフェース上で１つの阻害剤に求められる最適の残基ペアを決めるために行った。ＰＰＩｓ阻害剤は、通常の阻害剤と比較して分子量がかなり大きくなることが知られている。ヒット化合物（阻害剤）の分子量が大きくなる程、ヒット化合物を合成展開する際に問題となり、ライブラリーに入れる化合物はできるだけ最小の構造で最大の効果を上げるような分子設計をする必要があるためである。
各４４個の阻害剤から選ばれた、その阻害剤に対する「最も短いＳＩＲＰｓ」を集め、次にその中で重複しているＳＩＲＰｓを取り除いた。同じ標的タンパクの場合、一部の残基ペアが重複していることが多くあり、またその重複しているペアが「最も短いＳＩＲＰｓ」である場合があるからである。
【００７４】
その結果、２０個のＳＩＲＰｓが「最も短いＳＩＲＰｓ」として選出された。これら２０個のＳＩＲＰｓの平均値と標準偏差（Ｓ．Ｄ．）を、平均値＋１．９６Ｓ．Ｄ．の式に当てはめると、８．１９Å（Ｃα−Ｃα）と１１．６１Å（Ｃω−Ｃω）であった（Ｃα：平均値５．１０Å、Ｓ．Ｄ．＝１．５８）（Ｃω：平均値７．１６Å、Ｓ．Ｄ．＝２．２７）。
【００７５】
一方で、全てのＳＩＲＰｓ（ｎ＝４４）に関しても同様の作業を行うと、１４．５Å（Ｃα−Ｃα）と１６．２Å（Ｃω−Ｃω）であった（Ｃα：平均値７．２１Å、Ｓ．Ｄ．＝３．７１、Ｃω：平均値８．９９Å、Ｓ．Ｄ．＝３．６６）。これら「最も短いＳＩＲＰｓ」の距離に関する結果と相関式は、ＳＩＲＰｓ候補を抽出するために利用可能できると考えられる。ＳＩＲＰｓの候補は、タンパク間のインターフェースを標的としたフォーカスドライブラリーのデザイン等に利用できることが示唆される。
【００７６】
＜実施例８＞
ＳＩＲＰｓに含まれる残基が相関関係に及ぼす影響
ＳＩＲＰｓの多くが非極性な残基であること、また、約半分（４９％）のＳＩＲＰｓが同じα−へリックス上に２つの残基とも存在することから、残基が存在するタンパク質の二次構造の効果と残基の極性の効果が、先に見出した相関関係に影響を及ぼすか否かを検討するため、極性と２次構造の影響に関して更に詳しい分析を行った。
まず初めに、極性を有する残基の影響について考えた。Ｄ、Ｅ、Ｒ、Ｋ、Ｈ、Ｎ、Ｑ、Ｓ、Ｔを極性基とし、Ａ、Ｖ、Ｌ、Ｉ、Ｐ、Ｆ、Ｍ、Ｗ、Ｖ、Ｃを非極性基とした（Perutz，1965）。そして、残基ペアの極性によって、非極性残基同士のペア（グループ１）;非極性と極性残基のペア（グループ２）;そして２つとも極性残基のペア（グループ３）と３つのグループに分類した。それぞれのグループを極性の順に並べると、グループ１＜グループ２＜グループ３となる。
【００７７】
ｎｏｎ−ＳＩＲＰｓでは、極性の順に、ほぼ全てのパラメーターの平均値（ΣΔＧ、ΣＨＥ、ΣΔＳＡＳＡ、Ｃα−Ｃα、Ｃω−Ｃω）が増減をした。ＳＩＲＰｓの残基もｎｏｎ−ＳＩＲＰｓより顕著ではないが、極性によるパラメーターの平均値の変化が少ないながらも見られた。
【００７８】
また、ｎｏｎ−ＳＩＲＰｓについて、上記３つ全てのグループで|ＤＡ|とΣΔＳＡＳＡの間に相関はみられなかった。
一方で、ＳＩＲＰｓの２つのグループ（グループ１及びグループ２）では、|ＤＡ|（ｘ軸）とΣΔＳＡＳＡ（ｙ軸）の間で相関が見られた。
グループ１：
ｒ＝−０．６７、ｐ＜０．００００１４、ｎ＝２７、ｙ＝−０．５５ｘ＋２１２
グループ２：
ｒ＝−０．５４、ｐ＜０．１７、ｎ＝８、ｙ＝−０．４９ｘ＋１９４
なお、ＳＩＲＰｓでグループ３は分類されるものはなかった。相関式の傾きとｙ切片の値が上記実施例で得られた相関式と近いことから、残基の極性が相関に影響しないことが示唆された。
【００７９】
次に残基ペアを、残基が属すタンパクの２次構造に応じて、以下の９種類に分類した。
（１）２残基とも同じα−へリックス上に存在する。
（２）２残基は互いに異なるα−へリックス上に存在する。
（３）２残基ともα−へリックス−ターン上に存在する。
（４）２残基ともα−へリックス−ループ又はα−へリックス−ストランド上に存在する。
（５）２残基とも同じターン上に存在する。
（６）２残基は互いに異なるターン上に存在する。
（７）２残基はターン−ループ又はターン−ストランド上に存在する。
（８）２残基とも同じループ又はストランド上に存在する。
（９）２残基は互いに異なるループ又はストランド上に存在する。
【００８０】
ｎｏｎ−ＳＩＲＰｓ（ｎ＝２０８）では、上記（２）（２残基は互いに異なるα−へリックス上に存在する）に分類されるものはなく、約半分の残基ペアが上記（１）（２残基とも同じα−へリックス上に存在する）に分類された。この傾向が導かれた１つの理由は、ＰＰＩｓのインターフェースにおいて、α−へリックスは十分長く、阻害剤やタンパクが結合するために必要なΔＧやΔＳＡＳＡを得るためにたくさんのアンカーとして働く残基を持つことができるためと考えられる。
【００８１】
ｎｏｎ−ＳＩＲＰｓの２次構造の分類で、|ＤＡ|とΣΔＳＡＳＡの相関が得られるものは１つも存在しなかった。一方、ＳＩＲＰｓでは、上記（１）（２残基とも同じα−へリックス上に存在する）に分類される残基ペア（ｎ＝１７）と上記（８）（２残基とも同じループ又はストランド上に存在する）（同じloop or strand）に分類される残基ペア（ｎ＝１２）では、|ＤＡ|（ｘ軸）とΣΔＳＡＳＡ（ｙ軸）の間で相関が見られた（上記（１）：ｒ＝−０．７２、ｐ＜０．００１１、ｎ＝１７、ｙ＝−０．５９ｘ＋２０９、上記（８）：ｒ＝−０．４３、ｐ＜０．１７、ｎ＝１２、ｙ＝−０．３８ｘ＋１８４）。相関式の傾きとｙ切片が上記実施例で得られた相関式と似ていた。
他のＳＩＲＰｓの２次構造の分類については、上記（５）（２残基とも同じターン上に存在する）に分類されたものが２つ、上記（７）（２残基はターン−ループ又はターン−ストランド上に存在する）に分類されるものが４つと相関を見るには十分な数ではなかった。
以上の結果から、本実施例で得られた相関は、残基が属すタンパクの２次構造に影響を受けないことが示唆された。
【００８２】
＜実施例９＞
ＳＩＲＰｓの候補の抽出
本発明の応用例として、新たな標的の阻害剤について、ｎｏｎ−ＳＩＲＰｓを取り除き、ＳＩＲＰｓの候補を抽出できる可能性がある。１つの例として、実施例５で用いたＫｅａｐ１−Ｎｒｆ２を適用してみた。
まず、本発明の方法により、７つの残基をANCHOR databaseから選んだ。選ばれた残基の全ての残基ペアの合計は２１（＝７Ｃ２）残基ペアとなる。この２１残基ペアを距離のフィルターとなる「最も短いＳＩＲＰｓ」を選定し、１１残基ペアをＳＩＲＰｓになる可能性の高い候補（plausible SIRPs）として選んだ。この残った１１残基ペアを図３ｂで得られた回帰直線上にプロットするとthe regression equation（回帰直線）±１．９６Ｓ．Ｅ．の範囲内に１１個の残基ペアが認められた。この距離と相関式のフィルターを通過した候補残基ペアを‘plausible SIRPs’と呼び、ＳＩＲＰｓになる可能性の高い候補と位置づけた。
【００８３】
Ｋｅａｐ１阻害剤（ＰＤＢｎｕｍｂｅｒ：４ＩＱＫ）の全ての３つのＳＩＲＰｓ（実施例６）は、図３ｂで得られた回帰直線にプロットすると、the regression equation（回帰直線）±１．９６Ｓ．Ｅ．の範囲内にプロットされた。また、the regression equation（回帰直線）±１．９６Ｓ．Ｅ．より狭いthe regression equation（回帰直線）±Ｓ．Ｅ．の範囲内には１１残基ペア中、５つの残基ペアがプロットされた（狭いとは、相関式に近いということを意味している）。Ｋｅａｐ１阻害剤の３つのＳＩＲＰｓ（実施例６）のうち２つがthe regression equation（回帰直線）±Ｓ．Ｅ．の範囲にプロットされた。
【００８４】
＜実施例のまとめ＞
８つの標的タンパク−パートナータンパクのインターフェースを標的にした３９の阻害剤と、該インターフェースに存在するホットスポット中の６４残基を、タンパクを認識する際に重要となる残基として用いた（表１）。ホットスポットの６４残基中で、阻害剤が重なる残基と重ならない残基があることに着目しその違いが生じる理由を検証したところ、残基ペア間の距離とsolvent-accessible surface areaの変化（ΔＳＡＳＡ）に明らかな差（違い）があることを見出した。
【００８５】
また、３９の阻害剤がいくつのパートナータンパク質の残基と重なっているか計算したところ、図２より１つの阻害剤あたり平均２．７５残基であることを見出した。また、２つの重なり合う残基（残基ペア）の関係性に注目したところ、２つの残基からなる二面角の絶対値と、２つの残基のΔＳＡＳＡの和との間に負の直線の相関式を見出した（図３）。
【００８６】
更に、この相関式を上記で検討した８つの標的タンパクの何れかに結合する４つの阻害剤（上記３９阻害剤と異なる形式や位置に結合するもの）、及び８つの標的タンパク以外の標的タンパクに関する阻害剤を用いて検証した。結果、残基ペアのほとんど全てが、相関式±Ｓ．Ｅ．の範囲内にプロットされることがわかった（図４）。
【００８７】
ＳＡＳＡを利用し、タンパク−タンパクとタンパク−核酸のインターフェースのホットスポットを予測することができることが報告されている（Cristian R. et al., J. Chem. Inf. Model. 2015, 55, 1077-86）。このことは、アンカー残基でのΔＳＡＳＡの重要性に関する報告を彷彿させる（非特許文献２６）。本実施例で得られた結果は、一般に公開されている３つのデータベースを利用し、ＳＩＲＰｓが持つ特徴を示した。その特徴は、|ＤＡ|とΣΔＳＡＳＡの相関と残基ペア間の距離にまとめられる。これらの結果は、新しい阻害剤だけでなく、新しい標的タンパクにも対応可能である。
【００８８】
本実施例では、標的タンパク−パートナータンパクとタンパク−阻害剤の比較に基づいて、２つの残基の関係性に着目することで、ＳＩＲＰｓにおいて、直線で負の相関を|ＤＡ|とΣΔＳＡＳＡの間で見出した。この相関は５つの新たな阻害剤に応用された。残基間の距離情報を合わせると、本発明者の結果はＳＩＲＰｓになる可能性の高い残基ペアを見出すことに有効であり、またＰＰＩｓのインターフェース阻害剤のフォーカスドライブラリーのデザインに効果を発揮することが期待できる。
【産業上の利用可能性】
【００８９】
本発明の予測方法を用いることにより、新規のタンパク−タンパク相互作用の阻害剤を設計すること等ができるため、本発明は医薬開発分野等に広く利用されるものである。
【図１】
0006558828.tif 000005
【図２】
0006558828.tif 000006
【図３】
0006558828.tif 000007
【図４】
0006558828.tif 000008